(57)【要約】【課題】  入力音声の認識結果である語彙を音声認識システムから受信する際に、通信時間及び通信コストを削減することができ、また、入力音声による目的の語彙を確実に検索すること。【解決手段】  通信端末機１０の読み方判別部１２で、音声認識システム３０から受信された音声認識語彙の読み方を判別する。照合検索部１４で、その判別された読み方と、端末辞書１３の語彙の読み方とを照合して、その判別された読み方に一致する読み方の同音読語彙及び略一致する読み方の類似音読語彙の少なくとも一方を検索し、ユーザ登録語彙辞書１５から音声認識語彙に一致するユーザ登録語彙を検索する。リスト作成部１６で、その検索されたユーザ登録語彙、同音読語彙、類似音読語彙の各種語彙の少なくとも１つを記憶し、このうち重複語彙が無くなるように削除した後、各種語彙を所定の順序に配列して候補リストを作成し、リスト表示部１７に表示する。【選択図】      図１
2005229311.tif 000002
【特許請求の範囲】
【請求項１】
入力された音声を、通信網を介して音声認識システムへ送信し、この送信された音声に最も対応関係があると認識された１つの音声認識語彙のデータを受信する通信端末機において、
前記入力された音声に対応する語彙が、ユーザのキー操作に応じて登録されるユーザ登録語彙辞書と、
前記受信されたデータである音声認識語彙の読み方を判別する判別手段と、
前記判別手段で判別された読み方と、当該通信端末機に予め文章作成時に適用するために設けられた端末辞書の語彙の読み方とを照合することによって、前記判別された読み方に一致する読み方の同音読語彙及び略一致する読み方の類似音読語彙の少なくとも一方を端末辞書から検索し、また、前記ユーザ登録語彙辞書から前記音声認識語彙に一致するユーザ登録語彙を検索する検索手段と、
前記検索手段で検索されたユーザ登録語彙、同音読語彙、類似音読語彙の各種語彙の少なくとも１つを記憶し、この記憶された各種語彙のうち重複する語彙が無くなって１つとなるように削除し、この削除後に残った各種語彙を所定の優先順位に従った順序に配列して候補リストを作成する作成手段と、
前記作成手段で作成された候補リストを表示する表示手段と
を備えたことを特徴とする通信端末機。
【請求項２】
前記ユーザ登録語彙辞書に、前記検索手段での検索結果が未検索となった際に、当該未検索の音声認識語彙の読み方が、この読み方に対応したユーザ登録語彙に対応付けられて登録された場合において、前記検索手段は、前記音声認識語彙の読み方と、前記ユーザ登録語彙辞書に登録された読み方とを照合することによって、音声認識語彙の読み方に一致する読み方のユーザ登録語彙を検索する
ことを特徴とする請求項１に記載の通信端末機。
【請求項３】
前記ユーザ登録語彙辞書に、前記検索手段での検索結果が未検索となった際に、当該未検索の音声認識語彙の読み方に対応したユーザ登録語彙が登録された場合において、前記検索手段は、前記音声認識語彙と前記ユーザ登録語彙辞書に登録されたユーザ登録語彙とを照合することによって、音声認識語彙に一致するユーザ登録語彙を検索する
ことを特徴とする請求項１に記載の通信端末機。
【請求項４】
前記作成手段は、前記優先順位を、前記検索手段で検索されたユーザ登録語彙、同音読語彙、類似音読語彙の順とする
ことを特徴とする請求項１から３の何れか１項に記載の通信端末機。
【発明の詳細な説明】
【技術分野】
【０００１】
本発明は、携帯電話機や固定型電話機などの通信端末機に関し、特に音声認識システムに通信ネットワークを介して回線接続した後に、当該通信端末機において音声を入力して送信し、この送信された音声の認識結果である語彙を音声認識システムから受信する通信端末機に関する。
【背景技術】
【０００２】
従来、上記のように通信端末機にて受信した音声認識システムから音声の認識結果の語彙情報（以降、語彙とも称す）が誤りであった場合、音声の再入力を回避するため、例えば次のような手法が採られていた。通信端末機において、予め複数の侯補語彙を受信し、第１の候補が目的の語彙ではなかった場合、他の侯補をリストとして表示し、ユーザに選択させることで誤認識の修正を行っていた。
【０００３】
この種の従来の音声認識システムとして、例えば特許文献１及び２に記載のものがある。
特許文献１の内容は、基地局に、通信端末機が行う音声認識に用いられる複数の語彙情報をそれぞれが備える複数の語彙辞書を格納し、通信回線を介して通信端末機から送られてくる送信要求に応じて、語彙辞書を語彙辞書単位で読み出して通信端末機に送信する。通信端末機は、基地局から送信されてきた語彙辞書を記憶手段に記憶させ、この記憶された語彙辞書に含まれる各語彙情報と通信端末機における音声入力情報とを照合し、音声入力に対応する語彙情報を候補語彙情報として選出するといった内容である。
【０００４】
特許文献２の内容は、入力された音声信号に基づいてユーザが発声した語彙を予想し、この予想される語彙を確からしい順に並べた候補リストを作成する。この候補リストのうち最も確からしい第１候補の語彙に基づいた処理を行った後、候補リストを表示して第１候補の次の第２候補以降の語彙をユーザによって選択可能とし、ユーザによって第２候補以降の語彙が選択された場合は、その語彙に基づいた処理を行うことにより、第１候補の語彙が誤認識された場合でも、即座に容易に誤認識を訂正することを可能とするといった内容である。
【特許文献１】特開２００２−２１５１８６号公報
【特許文献２】特開平９−５０２９１号公報
【発明の開示】
【発明が解決しようとする課題】
【０００５】
しかし、従来の通信端末機において、上述したように音声認識システムから予め複数の侯補語彙を受信する場合、全てを有効に使用するしないに拘わらず、その複数の候補語彙を受信しなければならないので受信パケット数が増加し、また、音声認識システムへの接続回線が混雑している場合は、その分、通信時間がかかる。つまり、通信時間がかかると共に通信コストが高くなるという問題がある。
上記特許文献１においては、通信端末機にて基地局に予め用意された複数の語彙辞書から必要な語彙辞書を受信して記憶するので、この記憶された語彙辞書中に目的の語彙がなかった場合、その語彙が存在すると思われる語彙辞書を基地局から受信しなければならず、この場合、多大な通信時間と通信コストを要するという問題がある。
【０００６】
上記特許文献２においては、候補リストの最も確からしい語彙が音声入力情報と異なる場合に、ユーザが候補リストの次の候補以降の語彙の中から目的の語彙を選択するようになっているが、全ての候補リストに目的の語彙がなければ、次の候補リストへ移っても目的の語彙を検索することができないという問題がある。
本発明は、このような課題に鑑みてなされたものであり、入力音声の認識結果である語彙を音声認識システムから受信する際に、通信時間及び通信コストを削減することができ、また、入力音声による目的の語彙を確実に検索することができる通信端末機を提供することを目的としている。
【課題を解決するための手段】
【０００７】
上記目的を達成するために、本発明の請求項１による通信端末機は、入力された音声を、通信網を介して音声認識システムへ送信し、この送信された音声に最も対応関係があると認識された１つの音声認識語彙のデータを受信する通信端末機において、前記入力された音声に対応する語彙が、ユーザのキー操作に応じて登録されるユーザ登録語彙辞書と、前記受信されたデータである音声認識語彙の読み方を判別する判別手段と、前記判別手段で判別された読み方と、当該通信端末機に予め文章作成時に適用するために設けられた端末辞書の語彙の読み方とを照合することによって、前記判別された読み方に一致する読み方の同音読語彙及び略一致する読み方の類似音読語彙の少なくとも一方を端末辞書から検索し、また、前記ユーザ登録語彙辞書から前記音声認識語彙に一致するユーザ登録語彙を検索する検索手段と、前記検索手段で検索されたユーザ登録語彙、同音読語彙、類似音読語彙の各種語彙の少なくとも１つを記憶し、この記憶された各種語彙のうち重複する語彙が無くなって１つとなるように削除し、この削除後に残った各種語彙を所定の優先順位に従った順序に配列して候補リストを作成する作成手段と、前記作成手段で作成された候補リストを表示する表示手段とを備えたことを特徴としている。
【０００８】
この構成によれば、通信端末機は、一度、音声認識システムから１つの音声認識語彙を受信した後は、例え受信音声認識語彙が誤っていたとしても、通信端末機自体で候補リストを作成して表示することによって、入力音声に一致する語彙を取得することができる。つまり、従来のように音声認識システムから複数の侯補語彙を受信しなくても、１つの語彙のみでよいので、受信パケット数の増加を防止することができ、また、音声認識システムへの接続回線が混雑している場合でも、受信情報量が少ないので通信時間がかからないようにすることができる。
【０００９】
また、候補リストには、ユーザが音声入力した語彙が音声認識によって誤って認識された場合に、その誤りをキー操作によって訂正した正しいユーザ登録語彙が含まれるので、目的の語彙を検索できる可能性を高くすることができる。
また、本発明の請求項２による通信端末機は、請求項１において、前記ユーザ登録語彙辞書に、前記検索手段での検索結果が未検索となった際に、当該未検索の音声認識語彙の読み方が、この読み方に対応したユーザ登録語彙に対応付けられて登録された場合において、前記検索手段は、前記音声認識語彙の読み方と、前記ユーザ登録語彙辞書に登録された読み方とを照合することによって、音声認識語彙の読み方に一致する読み方のユーザ登録語彙を検索することを特徴としている。
【００１０】
この構成によれば、判別手段で判別された音声認識語彙の読み方が本来の読み方と異なる場合でも、その判別された読み方でユーザ登録語彙を検索した場合、ユーザが入力した音声に対応する語彙を得ることができる。これは次のような理由による。ユーザ登録語彙が、今回より前の検索手段での照合の結果、各種語彙の何れも検索されなかった場合に、ユーザのキー操作によって登録される正しい語彙（ユーザ登録語彙）に、この際判別手段で判別された間違った読み方が対応付けられて登録されたものである。このことから、今回の読み方の照合で端末辞書では同音読語彙及び類似音読語彙の何れも検索されず、ユーザ登録語彙辞書でユーザ登録語彙が検索されたとすると、この検索されたユーザ登録語彙は、前回以前にて今回と同じように確定された音声認識語彙の読み方に対してユーザが登録した語彙なので、正しいと判断することができる。
【００１１】
また、本発明の請求項３による通信端末機は、請求項１において、前記ユーザ登録語彙辞書に、前記検索手段での検索結果が未検索となった際に、当該未検索の音声認識語彙の読み方に対応したユーザ登録語彙が登録された場合において、前記検索手段は、前記音声認識語彙と前記ユーザ登録語彙辞書に登録されたユーザ登録語彙とを照合することによって、音声認識語彙に一致するユーザ登録語彙を検索することを特徴としている。
【００１２】
この構成によれば、ユーザがユーザ登録語彙辞書に語彙を登録する際に、語彙に読み方を対応付けなくても、語彙データのみを登録すればよいので、その分、登録制御が簡単となり、ユーザ登録語彙辞書の記憶容量を効率よく使用することができる。
また、本発明の請求項４による通信端末機は、請求項１から３の何れか１項において、前記作成手段は、前記優先順位を、前記検索手段で検索されたユーザ登録語彙、同音読語彙、類似音読語彙の順とすることを特徴としている。
【００１３】
この構成によれば、ユーザ登録語彙は、上記の請求項２の作用効果にて説明した通りなので、最も正しいと判断することができる。また、同音読語彙は、確定された音声認識語彙の読み方と同じ読み方の語彙であるが、同じ読み方の語彙は複数存在し、この中には所望の語彙と異なる語彙も含まれていることから、ユーザ登録語彙の次に正しいと判断することができる。更に、類似音読語彙は、確定された音声認識語彙の読み方と略同じ読み方（１字違いなど）の語彙なので、同音読語彙の次に正しいと判断することができる。このことから、ユーザ登録語彙、同音読語彙、類似音読語彙の順に配列して候補リストを作成し、これを表示させればユーザが正しい語彙を迅速に見るけることができる。
【発明の効果】
【００１４】
以上説明したように本発明によれば、入力音声の認識結果である語彙を音声認識システムから受信する際に、通信時間及び通信コストを削減することができ、また、入力音声による目的の語彙を確実に検索することができるという効果がある。
【発明を実施するための最良の形態】
【００１５】
以下、本発明の実施の形態を、図面を参照して説明する。
（実施の形態）
図１は、本発明の実施の形態に係る通信端末機を用いた音声認識通信システムの構成を示す図である。
図１に示す音声認識通信システムは、携帯電話機や固定型電話機などの通信端末機１０が、通信ネットワーク２０を介して音声認識システム３０に回線接続した後に、当該通信端末機１０において音声を入力して送信し、この送信された音声の認識結果である語彙を音声認識システム３０から受信するように構成されており、特徴点は、通信端末機１０にある。
【００１６】
通信端末機１０は、認識結果受信部１１と、読み方判別部１２と、端末辞書１３と、照合検索部１４と、ユーザ登録語彙辞書１５と、リスト作成部１６と、リスト表示部１７と、キー入力登録制御部１８とを備えて構成されている。また、音声認識システム３０は、通信端末機１０から送信されてきた音声を辞書３２を用いて認識し、この認識結果を返信する音声認識エンジン３１と、その音声認識のための語彙群を有して成る辞書３２とを備えて構成されている。
【００１７】
認識結果受信部１１は、音声認識システム３０からの音声認識結果である音声認識語彙データを受信するものである。ここで受信される音声認識語彙データは、入力音声の語彙に一致又は一致すると思われる１つの語彙（漢字による単語など）である。
読み方判別部１２は、認識結果受信部１１で受信された音声認識語彙データの読み方を判別するものである。
【００１８】
この読み方の判別処理を更に図２を参照して説明する。ステップＳ１での認識結果受信部１１による音声認識結果である音声認識語彙データの受信後、ステップＳ２において、その音声認識語彙データの読み方と端末辞書１３の語彙の読み方とを照合することによって、端末辞書１３内に音声認識語彙データの読み方があるか否かが判定される。なお、読み方は例えばひらがなによるものであり、ひらがな同士が照合されるようになっている。
【００１９】
その照合結果、読み方が無ければ、ステップＳ３において、音声認識システム３０へその読み方を問い合わせて取得する。この問合せでは、読み方及びこの読み方の語彙が１乃至は複数取得される。なお、先の照合で読み方が無いケースは稀であるため、音声認識システム３０への読み方の問合せが実行されることは稀である。
ステップＳ４において、その取得した語彙及び読み方を端末辞書１３に登録する。この登録後、ステップＳ５において、読み方が確定する。同様に、上記ステップＳ２において端末辞書１３に読み方があった場合にも確定する。
【００２０】
端末辞書１３は、通信端末機１０におけるメール作成等に使用される語彙群を有して成り、当該通信端末機１０の図示せぬ読書き可能なメモリに予め記憶されているものである。また、この端末辞書１３には、上述したように読み方判別部１２によって、新規に語彙及びこの語彙の読み方が登録されるようになっている。
照合検索部１４は、読み方判別部１２で確定した音声認識語彙の読み方と、端末辞書１３の語彙の読み方とを照合し、この照合結果、読み方が一致する端末辞書１３の語彙（同音読語彙と称す）及び読み方が略一致する端末辞書１３の語彙（類似音読語彙と称す）の双方又は何れか一方が検索された場合は、その検索された同音読語彙及び類似音読語彙の少なくとも一方をリスト作成部１６へ出力する。
【００２１】
また、照合検索部１４は、上記の端末辞書１３の照合と並行して、上記で確定した音声認識語彙の読み方と、ユーザ登録語彙辞書１５に後述で説明するようにユーザ登録語彙に対応付けられて登録された読み方とを照合し、この照合結果、音声認識語彙の読み方に一致する読み方が検索された場合は、その検索された読み方に対応付けられたユーザ登録語彙をリスト作成部１６へ出力する。
【００２２】
但し、端末辞書１３の照合とユーザ登録語彙辞書１５の照合とは、並列処理でなく、何れかの照合を先に実行した後、次の照合を実行するようにしてもよい。
ユーザ登録語彙辞書１５には、照合検索部１４での照合結果が未検索となった際にユーザによって語彙の登録キー操作が行われた場合、このキー操作による語彙（ユーザ登録語彙）が、キー入力登録制御部１８の制御よって、未検索の音声認識語彙の読み方に対応付けられて登録されるようになっている。
【００２３】
つまり、キー入力登録制御部１８は、照合検索部１４での照合結果が未検索となった際にユーザによって語彙の登録キー操作が行われた際に、このキー操作による語彙（ユーザ登録語彙）を、未検索の音声認識語彙の読み方に対応付けてユーザ登録語彙辞書１５に登録するものである。
このこと踏まえ、照合検索部１４の照合処理を更に図３を参照して説明する。まず、ステップＳ１１において、上記ステップＳ５で説明したように読み方が確定すると、照合検索部１４は、ステップＳ１２において、その確定した音声認識語彙の読み方と、端末辞書１３の語彙の読み方とを照合する。この照合結果、読み方一致の場合は端末辞書１３における音声認識語彙の読み方と同じ同音読語彙をリスト作成部１６へ出力する。また、読み方が例えば１字違いの場合は、この１字違いの語彙である類似音読語彙をリスト作成部１６へ出力する。一方、読み方が２字以上違う場合は、端末辞書１３を参照する照合処理を終了する。
【００２４】
この処理と並列に、照合検索部１４は、ステップＳ１４において、上記ステップＳ１１で確定した音声認識語彙の読み方と、ユーザ登録語彙辞書１５においてユーザ登録語彙に対応付けられて登録された読み方とを照合する。この照合結果、音声認識語彙の読み方に一致する読み方が検索された場合は、その検索された読み方に対応付けられたユーザ登録語彙をリスト作成部１６へ出力する。一方、未検索の場合は、ユーザ登録語彙辞書１５を参照する照合処理を終了する。
【００２５】
リスト作成部１６は、照合検索部１４からのユーザ登録語彙、同音読語彙、類似音読語彙の各種語彙を記憶し、これらのうち重複する語彙が無くなって１つとなるように削除し、この後に残った語彙を、所定の優先順位に従った順序に配列して候補リストを作成するものである。
この候補リスト作成処理を更に図４を参照して説明する。ステップＳ２１において、記憶された各種語彙に重複するものがあると判定された場合は、ステップＳ２２において、重複する語彙が無くなって１つとなるように削除する。そして、ステップＳ２３において、その削除後に残った語彙を所定の優先順位に従った順序で配列して、ステップＳ２４で候補リストを完成させる。
【００２６】
但し、上記ステップＳ２３での配列は、例えば（１）ユーザ登録語彙、（２）同音読語彙、（３）類似音読語彙の順に配列する。
この理由は次の通りである。ユーザ登録語彙は、今回より前の照合検索部１４での照合の結果、各種語彙の何れも検索されなかった場合に、ユーザのキー操作によって登録される正しい語彙（ユーザ登録語彙）に、この際読み方判別部１２で確定された間違った読み方が対応付けられて登録されたものである。このことから、今回の読み方の照合で端末辞書１３では同音読語彙及び類似音読語彙の何れも検索されず、ユーザ登録語彙辞書１５でユーザ登録語彙が検索されたとすると、この検索されたユーザ登録語彙は、前回以前にて今回と同じように確定された音声認識語彙の読み方に対してユーザが登録した語彙なので、最も正しいと判断することができる。
【００２７】
同音読語彙は、確定された音声認識語彙の読み方と同じ読み方の語彙であるが、同じ読み方の語彙は複数存在し、この中には所望の語彙と異なる語彙も含まれていることから、ユーザ登録語彙の次に配列されるものとなる。
類似音読語彙は、確定された音声認識語彙の読み方と略同じ読み方（１字違いなど）の語彙なので、同音読語彙の次に配列されるものとなる。
【００２８】
次に、このような構成の通信端末機１０を用いた音声認識システム３０における音声認識処理を、図５に示すシーケンス図を参照して説明する。
ステップＳ３１において、通信端末機１０の認識結果受信部１１で、音声認識システム３０からの音声認識結果である音声認識語彙データが受信されると、ステップＳ３２において、その音声認識語彙データが読み方判別部１２へ出力される。読み方判別部１２では、ステップＳ３３において、その音声認識語彙データが端末辞書１３の語彙の読み方と照合され、ここで音声認識語彙データの読み方があれば、ステップＳ３４において、音声認識語彙データの読み方が確定される。
【００２９】
一方、ステップＳ３３の照合結果、読み方が無ければ、音声認識システム３０へその読み方が問い合わせられ、読み方及びこの読み方の語彙が１乃至は複数取得される。この取得された語彙及び読み方は端末辞書１３に登録されて、読み方が確定される。
これらのように確定された読み方は、ステップＳ３５において、照合検索部１４へ出力される。そして、ステップＳ３６において、照合検索部１４にて、読み方判別部１２で確定された音声認識語彙の読み方と、端末辞書１３の語彙の読み方とが照合される。この照合結果、ステップＳ３７において、読み方が一致する同音読語彙及び読み方が略一致する類似音読語彙の双方又は何れか一方が検索された場合は、ステップＳ３８において、その検索された同音読語彙及び類似音読語彙の少なくとも一方がリスト作成部１６へ出力される。
【００３０】
この照合と平行して、ステップＳ３９において、照合検索部１４にて、上記で確定した音声認識語彙データの読み方と、ユーザ登録語彙辞書１５にユーザ登録語彙に対応付けられて登録された読み方とが照合される。この照合結果、ステップＳ３９において、音声認識語彙の読み方に一致する読み方が検索された場合は、ステップＳ４１において、その検索された読み方に対応付けられたユーザ登録語彙がリスト作成部１６へ出力され、リスト作成部１６に、それらのユーザ登録語彙、同音読語彙、類似音読語彙の各種語彙が記憶される。一方、未検索の場合は、ユーザ登録語彙辞書１５を参照する照合処理が終了される。
【００３１】
次に、ステップＳ４２において、リスト作成部１６にて、記憶された各種語彙のうち重複する語彙が無くなって１つとなるように削除される。そして、ステップＳ４３において、その削除後に残った語彙が、所定の優先順位に従った順序に配列されて候補リストが作成される。その配列は、例えば（１）ユーザ登録語彙、（２）同音読語彙、（３）類似音読語彙の順となる。
ここで作成された候補リストは、ステップＳ４４において、リスト表示部１７へ出力され、ステップＳ４５において、リスト表示部１７に表示される。ユーザは、その表示された候補リストの中から自分が音声入力した語彙を見つけることができる。
【００３２】
以上説明したように本実施の形態の通信端末機１０を音声認識通信システムに用いれば、通信端末機１０は、一度、音声認識システム３０から１つの音声認識語彙を受信した後は、例え受信音声認識語彙が誤っていたとしても、通信端末機１０自体で候補リストを作成して表示することによって、入力音声に一致する語彙を取得することができる。つまり、従来のように音声認識システム３０から複数の侯補語彙を受信しなくても、１つの語彙のみでよいので、受信パケット数の増加を防止することができ、また、音声認識システム３０への接続回線が混雑している場合でも、受信情報量が少ないので通信時間がかからないようにすることができる。また、候補リストには、ユーザが音声入力した語彙が音声認識によって誤って認識された場合に、その誤りをキー操作によって訂正した正しいユーザ登録語彙が含まれるので、目的の語彙を検索できる可能性を高くすることができる。
【００３３】
従って、通信端末機１０にて入力音声の認識結果である語彙を音声認識システム３０から受信する際に、通信時間及び通信コストを削減することができ、また、入力音声による目的の語彙を確実に検索することができる。
また、ユーザ登録語彙辞書１５に、照合検索部１４での検索結果が未検索となった際に、当該未検索の音声認識語彙の読み方が、当該読み方に対応したユーザ登録語彙に対応付けられて登録されるようにし、また、照合検索部１４が、音声認識語彙の読み方と、ユーザ登録語彙辞書１５に登録された読み方とを照合することによって、音声認識語彙の読み方に一致する読み方のユーザ登録語彙を検索するようにした。
【００３４】
これによって、読み方判別部１２で判別された音声認識語彙の読み方が本来の読み方と異なる場合でも、その判別された読み方でユーザ登録語彙を検索した場合、ユーザが入力した音声に対応する語彙を得ることができる。これの理由は、上述の優先順位の根拠にてユーザ登録語彙を説明した通りである。
また、リスト作成部１６が、候補リスト作成時の優先順位を、照合検索部１４で検索されたユーザ登録語彙、同音読語彙、類似音読語彙の順とするようにした。この場合も、上述の優先順位の根拠にて各種語彙を説明した理由から、ユーザ登録語彙、同音読語彙、類似音読語彙の順に配列して表示させればユーザが正しい語彙を迅速に見るけることができる。
【００３５】
この他、照合検索部１４が、図６に示すステップＳ４１において、認識結果受信部１１から音声認識語彙データを受け取り、ステップＳ４２において、その音声認識語彙データとユーザ登録語彙辞書１５の語彙データとを照合することによって、ユーザ登録語彙を検索するようにしてもよい。
この場合、ユーザがユーザ登録語彙辞書１５に語彙を登録する際に、語彙に読み方を対応付けなくても、語彙データのみを登録すればよいので、その分、キー入力登録制御部１８の制御が簡単となり、ユーザ登録語彙辞書１５の記憶容量を効率よく使用することができる。
【図面の簡単な説明】
【００３６】
【図１】本発明の実施の形態に係る通信端末機を用いた音声認識通信システムの構成を示す図である。
【図２】上記実施の形態に係る通信端末機の読み方判別部による音声認識語彙の読み方の判別処理を説明するためのフローチャートである。
【図３】上記実施の形態に係る通信端末機の照合検索部による音声認識語彙の読み方の照合及び検索処理を説明するためのフローチャートである。
【図４】上記実施の形態に係る通信端末機のリスト作成部によるリスト作成処理を説明するためのフローチャートである。
【図５】上記実施の形態に係る通信端末機を用いた音声認識通信システムによる音声認識処理を説明するためのシーケンス図である。
【図６】上記実施の形態に係る通信端末機を用いた音声認識通信システムによる音声認識処理を説明するための他のシーケンス図である。
【符号の説明】
【００３７】
１０  通信端末機
１１  認識結果受信部
１２  読み方判別部
１３  端末辞書
１４  照合検索部
１５  ユーザ登録語彙辞書
１６  リスト作成部
１７  リスト表示部
１８  キー入力登録制御部
２０  通信ネットワーク
３０  音声認識システム
３１  音声認識エンジン
３２  辞書
【図１】
2005229311.tif 000003
【図２】
2005229311.tif 000004
【図３】
2005229311.tif 000005
【図４】
2005229311.tif 000006
【図５】
2005229311.tif 000007
【図６】
2005229311.tif 000008